(57)【要約】【課題】２つの吐水部から同時に湯水を吐水する場合にも、２つの吐水部において適切な吐水流量を得ることができる浴槽装置を提供する。【解決手段】浴槽内の湯水を下流側に供給する電動ポンプと、電動ポンプの下流側に接続された共通流路と、共通流路の下流側に接続された第１流路と、第１流路の下流側に接続され第１吐水口を有する第１吐水部と、第１流路と分岐して共通流路の下流側に接続された第２流路と、第２流路の下流側に接続され第２吐水口を有する第２吐水部と、第１流路の経路上に設けられたジェットポンプユニットと、第１流路と第２流路との分岐部から第２吐水部の第２吐水口までの経路上の所定位置に設けられた圧力損失増大部とを備え、圧力損失増大部は、所定位置よりも第２吐水口側に流れる湯水の圧力損失を、所定位置に流入する湯水の圧力損失よりも増大させることを特徴とする浴槽装置である。【選択図】図１
2018166673.tif 000002
【特許請求の範囲】
【請求項１】
浴槽内に溜められた湯水を吸引し、下流側に供給する電動ポンプと、
前記電動ポンプの下流側に接続された共通流路と、
前記共通流路の下流側に接続された第１流路と、
前記第１流路の下流側に接続され、前記電動ポンプから供給された湯水を吐水する第１吐水口を有する第１吐水部と、
前記第１流路と分岐して前記共通流路の下流側に接続された第２流路と、
前記第２流路の下流側に接続され、前記電動ポンプから供給された湯水を吐水する第２吐水口を有する第２吐水部と、
を備え、
さらに、
前記第１流路の経路上に設けられたジェットポンプユニットと、
前記第１流路と前記第２流路との分岐部から前記第２吐水部の前記第２吐水口までの経路上の所定位置に設けられた圧力損失増大部と、
を有し、
前記ジェットポンプユニットは、
内部に湯水を貯水可能な貯水部と、
前記貯水部に貯水された湯水を吸引するための吸引管と、
前記貯水部に貯水された湯水がジェットポンプ作用によって前記吸引管に吸引されるように、前記電動ポンプから供給された湯水を前記吸引管内に噴射する噴射部と、
を有し、
前記圧力損失増大部は、前記所定位置よりも前記第２吐水口側に流れる湯水の圧力損失を、前記所定位置に流入する湯水の圧力損失よりも増大させることを特徴とする浴槽装置。
【請求項２】
前記圧力損失増大部は、湯水が流れる流路の少なくとも一部の断面積を他の断面積よりも小さくすることにより、前記所定位置よりも前記第２吐水口側に流れる湯水の圧力損失を増大させることを特徴とする請求項１記載の浴槽装置。
【請求項３】
前記分岐部に設けられ、前記第２吐水部のみに湯水を供給する片側吐水状態と、前記第１吐水部及び前記第２吐水部のそれぞれに湯水を供給する同時吐水状態と、を切替可能な切替弁と、
前記切替弁の動作を制御する制御部と、
をさらに備え、
前記圧力損失増大部は、前記所定位置よりも前記第２吐水口側に流れる湯水の圧力損失を増大させる第１状態と、前記所定位置よりも前記第２吐水口側に流れる湯水の圧力損失の増大量を前記第１状態よりも小さくした第２状態と、を切替可能であり、
前記制御部は、前記切替弁及び前記圧力損失増大部の動作を制御し、前記切替弁を前記同時吐水状態にした時に、前記圧力損失増大部を前記第１状態にし、前記切替弁を前記片側吐水状態にした時に、前記圧力損失増大部を前記第２状態にすることを特徴とする請求項１又は２に記載の浴槽装置。
【請求項４】
前記圧力損失増大部は、前記分岐部に設けられ、前記第２吐水部のみに湯水を供給する片側吐水状態と、前記第１吐水部及び前記第２吐水部のそれぞれに湯水を供給する同時吐水状態と、に切替可能な切替弁であり、
前記切替弁は、前記断面積を変化させることにより、前記同時吐水状態において前記所定位置よりも前記第２吐水口側に流れる湯水の圧力損失を増大させ、前記片側吐水状態において前記所定位置よりも前記第２吐水口側に流れる湯水の圧力損失の増大量を前記同時吐水状態よりも小さくし、
前記切替弁の動作を制御する制御部をさらに備えたことを特徴とする請求項２記載の浴槽装置。
【請求項５】
前記制御部は、前記電動ポンプの動作をさらに制御可能であり、前記片側吐水状態及び前記同時吐水状態のいずれか一方の状態で前記電動ポンプを動作させている状態からいずれか他方の状態に切り替える際に、前記切替弁を動作させる前に、前記電動ポンプを停止又は前記電動ポンプから下流に供給する湯水の流量を低下させることを特徴とする請求項３又は４に記載の浴槽装置。
【請求項６】
前記圧力損失増大部は、前記電動ポンプを動作させ、前記第１吐水部と前記第２吐水部とのそれぞれから湯水を吐水させる際に、前記第１吐水部から吐水される湯水の流量が、前記第２吐水部から吐水される湯水の流量の８０％以上１２０％以下となるように、前記所定位置よりも前記第２吐水口側に流れる湯水の圧力損失を増大させることを特徴とする請求項１〜５のいずれか１つに記載の浴槽装置。
【発明の詳細な説明】
【技術分野】
【０００１】
本発明の態様は、一般的に、浴槽装置に関する。
【背景技術】
【０００２】
第１吐水部と第２吐水部とを備え、浴槽に取り付けて使用される浴槽装置が知られている（例えば、特許文献１）。第１吐水部は、例えば、入浴者の肩や首に向けて湯水を吐水する。第２吐水部は、例えば、入浴者の腰に向けて湯水を吐水する。このように、入浴者の身体に向けて湯水を吐水することにより、例えば、入浴者の身体にマッサージ効果を付与することができ、入浴時のリラクゼーション効果を高めることができる。
【０００３】
浴槽装置は、浴槽裏のスペース（浴槽と浴室の壁面との間のスペース）に設置される。このため、第１吐水部及び第２吐水部のそれぞれに対応させた２つの電動ポンプを設けると、浴槽裏に多くのスペースを必要としてしまい、浴槽内部の空間を圧迫してしまう可能性が生じる。すなわち、入浴者が浴槽内に入って入浴するスペースが狭くなってしまう可能性が生じる。また、装置のコストが高くなってしまう恐れがある。
【０００４】
一方、１つの電動ポンプから第１吐水部及び第２吐水部のそれぞれに湯水を供給する構成では、第１吐水部及び第２吐水部のそれぞれから同時に湯水を吐水する場合に、吐水流量が少なくなり、所望の吐水流量が得られない可能性がある。
【０００５】
このため、第１吐水部及び第２吐水部のいずれか一方までの経路上に、吐水流量を増幅させるための非電動式のジェットポンプユニット（ジェット噴流の周囲の流体を巻き込む現象を利用した流量増幅ユニット）を設けることが検討されている。
【０００６】
電動ポンプと同様に、浴槽内部の空間を圧迫しないよう、ジェットポンプユニットは、第１吐水部及び第２吐水部の一方の経路上のみに設けることが好ましい。しかしながら、ジェットポンプユニットにおけるジェットノズル（高速の水流を噴射する部分）の開口面積は小さいことから、ジェットポンプユニットを第１吐水部及び第２吐水部の一方の経路上のみに設けると、設けた側の圧力損失が、他方に比べて大きくなってしまう。これにより、同時吐水を行う場合に、各吐水部からの吐水流量に大きな偏りが生じ、ジェットポンプユニットが設けられていない側において所望の吐水流量を得られない可能性が生じる。
【０００７】
反対に、電動ポンプの出力を高くして電動ポンプからの湯水の供給量を増やした場合には、ジェットポンプユニットが設けられた側において吐水流量が多くなり過ぎてしまう可能性が生じる。例えば、入浴者の肩と腰に向けて湯水を吐水する場合に、一方の吐水流量が過度に多くなり、リラクゼーション効果を損なわせてしまう可能性が生じる。
【先行技術文献】
【特許文献】
【０００８】
【特許文献１】特開２０１６−７３４４号公報
【発明の概要】
【発明が解決しようとする課題】
【０００９】
本発明は、かかる課題の認識に基づいてなされたものであり、１つの電動ポンプと１つのジェットポンプユニットとを用いて２つの吐水部から同時に湯水を吐水する場合にも、２つの吐水部のそれぞれにおいて適切な吐水流量を得ることができる浴槽装置を提供することを目的とする。
【課題を解決するための手段】
【００１０】
第１の発明は、浴槽内に溜められた湯水を吸引し、下流側に供給する電動ポンプと、前記電動ポンプの下流側に接続された共通流路と、前記共通流路の下流側に接続された第１流路と、前記第１流路の下流側に接続され、前記電動ポンプから供給された湯水を吐水する第１吐水口を有する第１吐水部と、前記第１流路と分岐して前記共通流路の下流側に接続された第２流路と、前記第２流路の下流側に接続され、前記電動ポンプから供給された湯水を吐水する第２吐水口を有する第２吐水部と、を備え、さらに、前記第１流路の経路上に設けられたジェットポンプユニットと、前記第１流路と前記第２流路との分岐部から前記第２吐水部の前記第２吐水口までの経路上の所定位置に設けられた圧力損失増大部と、を有し、前記ジェットポンプユニットは、内部に湯水を貯水可能な貯水部と、前記貯水部に貯水された湯水を吸引するための吸引管と、前記貯水部に貯水された湯水がジェットポンプ作用によって前記吸引管に吸引されるように、前記電動ポンプから供給された湯水を前記吸引管内に噴射する噴射部と、を有し、前記圧力損失増大部は、前記所定位置よりも前記第２吐水口側に流れる湯水の圧力損失を、前記所定位置に流入する湯水の圧力損失よりも増大させることを特徴とする浴槽装置である。
【００１１】
この浴槽装置によれば、第１流路と第２流路との分岐部から第２吐水口までの経路上の所定位置に圧力損失増大部を設けたことにより、第１吐水口側に流れる湯水の圧力損失と第２吐水口側に流れる湯水の圧力損失との差を小さくすることができる。すなわち、圧力損失が高くなるジェットポンプユニットに合わせて分岐部から第２吐水口までの経路上の所定位置の圧力損失を増大させることにより、第１吐水口側に流れる湯水の圧力損失と第２吐水口側に流れる湯水の圧力損失との差を小さくすることができる。従って、１つの電動ポンプと１つのジェットポンプユニットとを用いて第１吐水部及び第２吐水部のそれぞれから同時に湯水を吐水する場合にも、第１吐水部及び第２吐水部のそれぞれにおいて適切な吐水流量を得ることができる。
【００１２】
第２の発明は、第１の発明において、前記圧力損失増大部は、湯水が流れる流路の少なくとも一部の断面積を他の断面積よりも小さくすることにより、前記所定位置よりも前記第２吐水口側に流れる湯水の圧力損失を増大させることを特徴とする浴槽装置である。
【００１３】
この浴槽装置によれば、断面積を小さくするという簡単な構成で圧力損失を増大させることができる。
【００１４】
第３の発明は、第１又は第２の発明において、前記分岐部に設けられ、前記第２吐水部のみに湯水を供給する片側吐水状態と、前記第１吐水部及び前記第２吐水部のそれぞれに湯水を供給する同時吐水状態と、を切替可能な切替弁と、前記切替弁の動作を制御する制御部と、をさらに備え、前記圧力損失増大部は、前記所定位置よりも前記第２吐水口側に流れる湯水の圧力損失を増大させる第１状態と、前記所定位置よりも前記第２吐水口側に流れる湯水の圧力損失の増大量を前記第１状態よりも小さくした第２状態と、を切替可能であり、前記制御部は、前記切替弁及び前記圧力損失増大部の動作を制御し、前記切替弁を前記同時吐水状態にした時に、前記圧力損失増大部を前記第１状態にし、前記切替弁を前記片側吐水状態にした時に、前記圧力損失増大部を前記第２状態にすることを特徴とする浴槽装置である。
【００１５】
この浴槽装置によれば、種々の吐水パターンを入浴者の好みに応じて選択することができ、使い勝手を向上させることができる。また、第２吐水部のみから湯水を吐水する場合の圧力損失を低くすることができる。従って、第２吐水部のみから湯水を吐水する場合に、電動ポンプの駆動力を抑えることができ、消費電力を抑えることができる。
【００１６】
第４の発明は、第２の発明において、前記圧力損失増大部は、前記分岐部に設けられ、前記第２吐水部のみに湯水を供給する片側吐水状態と、前記第１吐水部及び前記第２吐水部のそれぞれに湯水を供給する同時吐水状態と、に切替可能な切替弁であり、前記切替弁は、前記断面積を変化させることにより、前記同時吐水状態において前記所定位置よりも前記第２吐水口側に流れる湯水の圧力損失を増大させ、前記片側吐水状態において前記所定位置よりも前記第２吐水口側に流れる湯水の圧力損失の増大量を前記同時吐水状態よりも小さくし、前記切替弁の動作を制御する制御部をさらに備えたことを特徴とする浴槽装置である。
【００１７】
この浴槽装置によれば、種々の吐水パターンを入浴者の好みに応じて選択することができ、使い勝手を向上させることができる。切替弁の制御のみで経路の切り替えと圧力損失の増大とを行うことができる。従って、より簡単な構成で、圧力損失の増大と経路の切り替えとを行うことができる。浴槽装置の部品点数を削減し、浴槽装置の製造コストの増加を抑えることができる。
【００１８】
第５の発明は、第３又は第４の発明において、前記制御部は、前記電動ポンプの動作をさらに制御可能であり、前記片側吐水状態及び前記同時吐水状態のいずれか一方の状態で前記電動ポンプを動作させている状態からいずれか他方の状態に切り替える際に、前記切替弁を動作させる前に、前記電動ポンプを停止又は前記電動ポンプから下流に供給する湯水の流量を低下させることを特徴とする浴槽装置である。
【００１９】
この浴槽装置によれば、モードの切り替え時に電動ポンプを停止又は電動ポンプから下流に供給する湯水の流量を低下させることにより、片側吐水状態と同時吐水状態との切り替え時に切替弁の可動部に大きな負荷がかかってしまうことを抑制することができる。従って、切替弁の故障などを抑制し、長期に亘って安定して切替弁を動作させることができる。
【００２０】
第６の発明は、第１〜第５のいずれか１つの発明において、前記圧力損失増大部は、前記電動ポンプを動作させ、前記第１吐水部と前記第２吐水部とのそれぞれから湯水を吐水させる際に、前記第１吐水部から吐水される湯水の流量が、前記第２吐水部から吐水される湯水の流量の８０％以上１２０％以下となるように、前記所定位置よりも前記第２吐水口側に流れる湯水の圧力損失を増大させることを特徴とする浴槽装置である。
【００２１】
この浴槽装置によれば、第１吐水部と第２吐水部とのそれぞれから湯水を吐水させる際に、第１吐水部から吐水される湯水の流量を、第２吐水部から吐水される湯水の流量の８０％以上１２０％以下とすることにより、１つの電動ポンプと１つのジェットポンプユニットとを用いて第１吐水部及び第２吐水部のそれぞれから同時に湯水を吐水する場合に、第１吐水部及び第２吐水部のそれぞれにおいて適切な吐水流量とすることができる。従って、例えば、入浴者の肩と腰に同時に湯水を吐水させる場合などに、一方が強すぎるなどの違和感を入浴者に与えてしまうことを抑制することができ、リラクゼーション効果をより向上させることができる。
【発明の効果】
【００２２】
本発明の態様によれば、１つの電動ポンプと１つのジェットポンプユニットとを用いて２つの吐水部から同時に湯水を吐水する場合にも、２つの吐水部のそれぞれにおいて適切な吐水流量を得ることができる浴槽装置が提供される。
【図面の簡単な説明】
【００２３】
【図１】実施形態に係る浴槽及び浴槽装置を模式的に表すブロック図である。
【図２】図２（ａ）及び図２（ｂ）は、実施形態に係る浴槽装置の切替弁を模式的に表す斜視図である。
【図３】図３（ａ）〜図３（ｃ）は、実施形態に係る浴槽装置の切替弁を模式的に表す説明図である。
【図４】図４（ａ）〜図４（ｃ）は、実施形態に係る浴槽装置の切替弁を模式的に表す説明図である。
【図５】実施形態に係る浴槽装置の制御部の動作の一例を模式的に表すフローチャートである。
【図６】実施形態に係る浴槽装置の変形例を模式的に表すブロック図である。
【図７】実施形態に係る浴槽装置の変形例を模式的に表すブロック図である。
【図８】実施形態に係る浴槽装置の変形例を模式的に表すブロック図である。
【発明を実施するための形態】
【００２４】
以下、実施形態について図面を参照しつつ説明する。なお、各図面中、同様の構成要素には同一の符号を付して詳細な説明は適宜省略する。  
図１は、実施形態に係る浴槽及び浴槽装置を模式的に表すブロック図である。  
図１に表したように、浴槽装置１０は、浴槽１００に取り付けて使用される。浴槽１００は、浴槽本体１０２を備える。浴槽本体１０２は、内壁面１０４を有する。内壁面１０４は、入浴者の背中を支持する背もたれ面１０６を有する。また、浴槽本体１０２は、浴槽本体１０２内に溜められた湯水を吸い込むための吸込み口１１０を有する。
【００２５】
ここで、本願明細書においては、背もたれ面１０６に背中を当接させた入浴者からみて上方を「上方」とし、下方を「下方」とし、前方を「前方」とし、後方を「後方」とし、右側を「右側方」とし、左側を「左側方」とする。
【００２６】
浴槽装置１０は、電動ポンプ１２と、切替弁１４（圧力損失増大部）と、ジェットポンプユニット１６と、共通流路２０と、第１流路２１と、第２流路２２と、第１吐水部３１と、第２吐水部３２と、制御部４０と、操作部４２と、を備える。浴槽装置１０において、例えば、電動ポンプ１２、切替弁１４、ジェットポンプユニット１６、共通流路２０、第１流路２１、第２流路２２、及び制御部４０などの各部は、浴槽本体１０２の裏側のスペース（浴槽本体１０２と浴室の壁面との間のスペース）に設けられる。
【００２７】
電動ポンプ１２は、配管５０を介して吸込み口１１０と接続されている。電動ポンプ１２は、浴槽本体１０２に接続可能な配管５０に接続される。電動ポンプ１２は、吸込み口１１０から浴槽本体１０２内に溜められた湯水を吸引し、下流側に供給する。電動ポンプ１２は、例えば、吸引した湯水に圧力をかけて圧送する機能を有する。電動ポンプ１２は、例えば、電気的に駆動される電動モータ（図示せず）に直結されたインペラ（図示せず）の回転により、浴槽本体１０２内の湯水を吸引し、吸引した湯水を下流側に圧送する。
【００２８】
共通流路２０は、電動ポンプ１２の下流側に接続されている。第１流路２１は、共通流路２０の下流側に接続されている。第１吐水部３１は、第１流路２１の下流側に接続され、電動ポンプ１２から供給された湯水を吐水する第１吐水口３１ａを有する。第１吐水部３１は、背もたれ面１０６に連なる上端（リム面）の上に設けられる。
【００２９】
第１吐水部３１は、浴槽本体１０２の内方に向けて湯水を吐水する。すなわち、第１吐水部３１は、前方に向けて湯水を吐水する。第１吐水部３１は、例えば、背もたれ面１０６に背中を当接させた入浴者の首や肩に向けて湯水を吐水する。これにより、例えば、入浴者の首や肩をより温めたり、入浴者の首や肩にマッサージ効果を付与したりすることができ、入浴時のリラクゼーション効果をより高めることができる。
【００３０】
第１吐水部３１は、左右方向に延びたスリット状の第１吐水口３１ａを有する。これにより、第１吐水部３１は、左右方向に延びた帯状の水流を第１吐水口３１ａから吐水する。第１吐水口３１ａの左右方向の長さは、例えば、２０ｃｍ以上である。第１吐水口３１ａの左右方向の長さは、例えば、人間の首の平均的な幅よりも長い。これにより、背もたれ面１０６に背中を当接させた入浴者の首や肩に適切に湯水を当てることができる。また、第１吐水口３１ａの左右方向の長さは、例えば、浴槽本体１０２の内部の空間の左右方向の幅よりも短い。これにより、浴槽本体１０２内に適切に湯水を吐水することができる。
【００３１】
浴槽装置１０は、例えば、複数の第１吐水部３１を有してもよい。例えば、入浴者の右肩に湯水を吐水する第１吐水部３１と、入浴者の左肩に湯水を吐水する第１吐水部３１と、を有してもよい。この場合には、例えば、第１流路２１を途中で分岐させればよい。
【００３２】
また、第１吐水部３１は、光源部３４を有する。光源部３４は、前方に向けて光を照射する。これにより、浴槽１００の外観をより向上させることができる。光源部３４は、必要に応じて設けられ、省略可能である。
【００３３】
第２流路２２は、第１流路２１と分岐して共通流路２０の下流側に接続されている。第２吐水部３２は、第２流路２２の下流側に接続され、電動ポンプ１２から供給された湯水を吐水する第２吐水口３２ａを有する。第２吐水部３２は、背もたれ面１０６に設けられている。第２吐水部３２は、例えば、背もたれ面１０６の部分において浴槽本体１０２を貫通するように取り付けられる。これにより、第２吐水部３２は、浴槽本体１０２の内方に向けて湯水を吐水する。
【００３４】
第２吐水部３２は、例えば、背もたれ面１０６に背中を当接させた入浴者の腰などに向けて湯水を噴射する。第２吐水部３２は、例えば、入浴者の抗重力筋である脊柱起立筋の位置を狙って湯水を噴射する。これにより、入浴者の腰などに刺激を与え、入浴時のリラクゼーション効果をより高めることができる。
【００３５】
浴槽装置１０は、例えば、複数の第２吐水部３２を有してもよい。例えば、背もたれ面１０６に左右に並べて設けられた２つの第２吐水部３２を有してもよい。この場合には、例えば、第２流路２２を途中で分岐させればよい。
【００３６】
上記とは反対に、第１吐水部３１から入浴者の腰などに向けて湯水を吐水し、第２吐水部３２から入浴者の肩などに向けて湯水を吐水してもよい。また、第１吐水部３１及び第２吐水部３２は、上記に限ることなく、例えば、浴槽本体１０２の底面部分に設けられ、入浴者の脚に向けて湯水を吐水する吐水部などでもよい。第１吐水部３１及び第２吐水部３２は、浴槽本体１０２の内方に向けて湯水を吐水する任意の吐水部でよい。
【００３７】
切替弁１４は、第１流路２１と第２流路２２との分岐部に設けられている。切替弁１４は、共通流路２０を介して電動ポンプ１２に接続されている。切替弁１４は、第１吐水部３１のみに湯水を供給する第１片側吐水状態と、第２吐水部３２のみに湯水を供給する第２片側吐水状態（片側吐水状態）と、第１吐水部３１及び第２吐水部３２のそれぞれに湯水を供給する同時吐水状態と、を切替可能である。このように、切替弁１４は、電動ポンプ１２から供給された湯水を第１吐水部３１側に送る経路と、第２吐水部３２側に送る経路と、の切り替えを行う。
【００３８】
第２吐水部３２は、配管５４を介して切替弁１４と接続されている。これにより、浴槽装置１０では、電動ポンプ１２を駆動し、切替弁１４を第２片側吐水状態又は同時吐水状態にすることにより、第２吐水部３２から湯水が吐水される。すなわち、浴槽装置１０では、配管５４によって第２流路２２が構成される。第２流路２２は、１つの配管５４に限ることなく、第２吐水部３２に湯水を供給可能な任意の構成でよい。
【００３９】
ジェットポンプユニット１６は、第１流路２１の経路上に設けられる。この例において、ジェットポンプユニット１６は、第１吐水部３１と切替弁１４との間に設けられる。ジェットポンプユニット１６は、例えば、第１吐水部３１の直下に設けられる。
【００４０】
ジェットポンプユニット１６は、第２流路２２の経路上に設けてもよい。ジェットポンプユニット１６は、第１流路２１及び第２流路２２のいずれか一方の経路上に設けられていればよい。
【００４１】
ジェットポンプユニット１６は、貯水部６０と、吸引管６２と、噴射部６４と、を有する。貯水部６０は、容器状であり、内部の空間に湯水を貯水可能とする。貯水部６０は、配管５６を介して吸込み口１１０と接続されている。これにより、貯水部６０には、吸込み口１１０を介して浴槽本体１０２から湯水が供給される。すなわち、浴槽本体１０２に湯水を溜めることにより、貯水部６０にも湯水が溜められる。貯水部６０は、吸込み口１１０及び配管５６を介して浴槽本体１０２から供給された湯水を内部に貯水する。貯水部６０への湯水の供給は、電動ポンプ１２の吸込み口１１０とは別の吸込み口から供給してもよい。また、貯水部６０に供給される湯水は、浴槽本体１０２内に溜められた湯水に限ることなく、別の給水源から供給された湯水でもよい。
【００４２】
貯水部６０は、配管５８を介して切替弁１４と接続されている。配管５８は、例えば、貯水部６０の下部に接続される。吸引管６２は、貯水部６０に貯水された湯水を吸引するための管路である。吸引管６２は、例えば、配管５８と対向して貯水部６０の上部に接続される。吸引管６２は、貯水部６０から上方に向かって延び、第１吐水部３１と接続される。これにより、この例では、配管５８と貯水部６０と吸引管６２とによって、切替弁１４から第１吐水部３１へと到る第１流路２１が構成される。第１流路２１の構成は、上記の構成に限定されるものではない。例えば、吸引管６２は、別の配管を介して第１吐水部３１と接続してもよい。
【００４３】
噴射部６４は、貯水部６０と配管５８との接続部に設けられる。噴射部６４は、貯水部６０に貯水された湯水がジェットポンプ作用によって吸引管６２に吸引されるように、切替弁１４及び配管５８を介して電動ポンプ１２から供給された湯水を吸引管６２内に噴射する。これにより、電動ポンプ１２から供給された湯水が第１吐水部３１に供給されるとともに、貯水部６０内に貯水された湯水が、ジェットポンプ作用によって吸引管６２内に引き込まれ、貯水部６０内に貯水された湯水も第１吐水部３１に供給される。これにより、電動ポンプ１２を比較的小型にした場合にも大流量の湯水を第１吐水部３１に供給することができる。例えば、電動ポンプ１２の最大流量以上の流量の湯水を第１吐水部３１に供給することができる。
【００４４】
このように、浴槽装置１０では、電動ポンプ１２を駆動し、切替弁１４を第１片側吐水状態又は同時吐水状態にすることにより、第１吐水部３１から湯水が吐水される。切替弁１４を同時吐水状態にした場合には、切替弁１４によって第１吐水部３１側及び第２吐水部３２側の双方が電動ポンプ１２と連通することにより、第１吐水部３１からの湯水の吐水及び第２吐水部３２からの湯水の噴射を同時に行うことができる。
【００４５】
制御部４０は、電動ポンプ１２、切替弁１４、及び操作部４２と接続されている。操作部４２は、例えば、浴槽本体１０２や浴室の壁面などに取り付けて使用される。操作部４２は、スイッチやセンサなどを有し、入浴者などの操作に応じて、制御部４０に種々の操作指示を入力可能である。操作部４２は、いわゆるリモコンである。制御部４０と操作部４２との間の電気的な通信は、有線でもよいし、無線を介して行ってもよい。
【００４６】
制御部４０は、操作部４２から入力された操作指示に応じて、電動ポンプ１２及び切替弁１４の動作を制御する。制御部４０は、第１吐水部３１からの湯水の吐水を操作部４２から指示された場合、電動ポンプ１２の駆動を開始し、切替弁１４を第１片側吐水状態にすることにより、第１吐水部３１から湯水を吐水させる。
【００４７】
制御部４０は、第２吐水部３２からの湯水の噴射を操作部４２から指示された場合、電動ポンプ１２の駆動を開始し、切替弁１４を第２片側吐水状態にすることにより、第２吐水部３２から湯水を噴射させる。
【００４８】
また、制御部４０は、第１吐水部３１及び第２吐水部３２からの同時吐水を操作部４２から指示された場合、電動ポンプ１２の駆動を開始し、切替弁１４を同時吐水状態にすることにより、第１吐水部３１から湯水を吐水させるとともに、第２吐水部３２から湯水を噴射させる。
【００４９】
そして、制御部４０は、第１吐水部３１からの湯水の吐水の停止、又は第２吐水部３２からの湯水の噴射の停止を指示された場合に、電動ポンプ１２の駆動を停止させる。また、制御部４０は、例えば、操作部４２から入力された操作指示に応じて、電動ポンプ１２の出力（駆動力）を変化させる。制御部４０は、例えば、電動ポンプ１２の回転数を変化させる。これにより、第１吐水部３１及び第２吐水部３２から吐水される湯水の流量を変化させることができる。例えば、流量の少ない「弱運転」、弱運転よりも流量の多い「強運転」、弱運転と強運転との間の流量の「中運転」などのように運転モードを切り替えることができる。
【００５０】
制御部４０は、光源部３４と接続されている。制御部４０は、操作部４２から入力された操作指示に応じて、光源部３４の点灯及び消灯を切り替える。
【００５１】
図２（ａ）及び図２（ｂ）は、実施形態に係る浴槽装置の切替弁を模式的に表す斜視図である。  
図２（ａ）及び図２（ｂ）に表したように、切替弁１４は、弁本体７０と、駆動部７２と、を有する。なお、図２（ｂ）では、便宜的に弁本体７０の一部を切り欠いて図示し、図２（ａ）のＡ１−Ａ２線断面を模式的に表している。
【００５２】
弁本体７０は、ケーシング７４と、可動部７６と、を有する。ケーシング７４は、入口部７４ａと、第１出口部７４ｂと、第２出口部７４ｃと、内部流路７４ｄと、を有する。入口部７４ａは、共通流路２０を介して電動ポンプ１２と接続される。第１出口部７４ｂは、配管５８を介してジェットポンプユニット１６の貯水部６０と接続される。第２出口部７４ｃは、配管５４を介して第２吐水部３２と接続される。内部流路７４ｄは、入口部７４ａと第１出口部７４ｂと第２出口部７４ｃとを相互に接続する管路であり、これらの間に湯水が流れることを可能にする。
【００５３】
可動部７６は、内部流路７４ｄの内部に可動可能に設けられている。可動部７６は、内部流路７４ｄの内部で可動することにより、入口部７４ａと第１出口部７４ｂとを連通させた状態と、入口部７４ａと第２出口部７４ｃとを連通させた状態と、第１出口部７４ｂ及び第２出口部７４ｃのそれぞれを入口部７４ａと連通させた状態と、を切り替える。すなわち、可動部７６を可動させることにより、切替弁１４が第１片側吐水状態と第２片側吐水状態と同時吐水状態とに切り替わる。
【００５４】
可動部７６は、例えば、内部流路７４ｄの内部に回転可能に設けられたボール状である。この例において、切替弁１４は、いわゆるボールバルブである。切替弁１４の構成は、上記に限ることなく、各吐水状態を切り替え可能な任意の構成でよい。
【００５５】
駆動部７２は、可動部７６と接続され、可動部７６を可動させる。駆動部７２は、例えば、ケーシング７４（内部流路７４ａ）の外側に設けられ、ケーシング７４の外側から可動部７６を可動させる。駆動部７２は、制御部４０に接続されており、制御部４０の制御に基づいて可動部７６を可動させる。これにより、前述のように、制御部４０の制御によって、切替弁１４の各吐水状態が切り替わる。駆動部７２は、例えば、可動部７６を回転させるモータである。駆動部７２の構成は、可動部７６を可動させることができる任意の構成でよい。駆動部７２は、例えば、ソレノイドアクチュエータなどでもよい。
【００５６】
図３（ａ）〜図３（ｃ）は、実施形態に係る浴槽装置の切替弁を模式的に表す説明図である。  
図３（ａ）〜図３（ｃ）では、図２（ｂ）の断面を直交する方向に見た状態を模式的に表している。  
図３（ａ）〜図３（ｃ）に表したように、可動部７６は、開口部７６ａ〜７６ｄと、閉塞部７６ｅと、を有する。開口部７６ａ〜７６ｄは、互いに連通し、湯水を流すことが可能な管路を形成する。閉塞部７６ｅは、第１出口部７４ｂ及び第２出口部７４ｃのいずれか一方を閉塞可能な形状に形成されている。
【００５７】
開口部７６ａは、入口部７４ａと対向して配置される。可動部７６は、例えば、開口部７６ａの中心を軸に回転可能に内部流路７４ｄ内に設けられる。
【００５８】
開口部７６ｂ〜７６ｄ及び閉塞部７６ｅは、開口部７６ａと直交する向きに設けられている。また、開口部７６ｂ〜７６ｄ及び閉塞部７６ｅは、互いに９０°回転した位置に配置されている。これにより、開口部７６ａの中心を軸に可動部７６を回転させることにより、開口部７６ｂ〜７６ｄ及び閉塞部７６ｅのいずれかが、第１出口部７４ｂ及び第２出口部７４ｃと対向する。
【００５９】
図３（ａ）に表したように、開口部７６ｂと第１出口部７４ｂとを対向させ、閉塞部７６ｅと第２出口部７４ｃとを対向させた位置に可動部７６を回転させる。これにより、開口部７６ａと開口部７６ｂとを介して入口部７４ａと第１出口部７４ｂとが連通するとともに、閉塞部７６ｅによって第２出口部７４ｃが閉塞される。これにより、電動ポンプ１２から供給された湯水が、第１吐水部３１のみに供給されるようになる。すなわち、切替弁１４が第１片側吐水状態になる。
【００６０】
図３（ｂ）に表したように、閉塞部７６ｅと第１出口部７４ｂとを対向させ、開口部７６ｄと第２出口部７４ｃとを対向させた位置に可動部７６を回転させる。これにより、開口部７６ａと開口部７６ｄとを介して入口部７４ａと第２出口部７４ｃとが連通するとともに、閉塞部７６ｅによって第１出口部７４ｂが閉塞される。これにより、電動ポンプ１２から供給された湯水が、第２吐水部３２のみに供給されるようになる。すなわち、切替弁１４が第２片側吐水状態になる。
【００６１】
図３（ｃ）に表したように、開口部７６ｂの一部及び開口部７６ｃの一部を第１出口部７４ｂと対向させ、開口部７６ｂの一部及び閉塞部７６ｅの一部を第２出口部７４ｃと対向させた位置に可動部７６を回転させる。これにより、開口部７６ａと開口部７６ｂの一部及び開口部７６ｃの一部とを介して入口部７４ａと第１出口部７４ｂとが連通するとともに、開口部７６ａと開口部７６ｂの一部とを介して入口部７４ａと第２出口部７４ｃとが連通する。これにより、電動ポンプ１２から供給された湯水が、第１吐水部３１及び第２吐水部３２のそれぞれに供給されるようになる。すなわち、切替弁１４が同時吐水状態になる。
【００６２】
図４（ａ）〜図４（ｃ）は、実施形態に係る浴槽装置の切替弁を模式的に表す説明図である。  
図４（ａ）は、第２片側吐水状態にある切替弁１４を第２出口部７４ｃと直交する方向（図３（ｂ）において矢線Ｖ１で示す方向）から見た状態を模式的に表している。  
図４（ｂ）は、同時吐水状態にある切替弁１４を第２出口部７４ｃと直交する方向（図３（ｃ）において矢線Ｖ２で示す方向）から見た状態を模式的に表している。  
図４（ｃ）は、同時吐水状態にある切替弁１４を第１出口部７４ｂと直交する方向（図３（ｃ）において矢線Ｖ３で示す方向）から見た状態を模式的に表している。
【００６３】
また、図４（ａ）〜図４（ｃ）において、ハッチングを施した部分は、各方向から見た内部流路７４ｄを表している。換言すれば、ハッチングを施した部分は、湯水の流れる方向（出口部の向く方向）に対して直交する断面における内部流路７４ｄの断面積（開口面積）である。換言すれば、ハッチングを施した部分は、湯水の流れる方向に対して直交する断面に内部流路７４ｄを投影した時の、内部流路７４ｄの最小の投影面積である。
【００６４】
図４（ａ）及び図４（ｂ）に表したように、切替弁１４は、可動部７６の回転位置により、湯水が流れる内部流路７４ｄの断面積（湯水の流れる面積）を変化させる。切替弁１４は、同時吐水状態において、閉塞部７６ｅの一部を第２出口部７４ｃと対向させることにより、第２片側吐水状態よりも内部流路７４ｄの断面積を小さくする。従って、同時吐水状態においては、第２片側吐水状態よりも電動ポンプ１２から第２吐水部３２に供給される湯水の圧力損失が増大する。
【００６５】
このように、切替弁１４は、第１流路２１と第２流路２２との分岐部（所定位置）よりも第２吐水口３２ａ側に流れる湯水の圧力損失を増大させる第１状態と、分岐部よりも第２吐水口３２ａ側に流れる湯水の圧力損失の増大量を第１状態よりも小さくした第２状態と、を切替可能である。切替弁１４は、断面積を変化させることにより、同時吐水状態において分岐部よりも第２吐水口３２ａ側に流れる湯水の圧力損失を増大させ、第２片側吐水状態において分岐部よりも第２吐水口３２ａ側に流れる湯水の圧力損失の増大量を同時吐水状態よりも小さくする。すなわち、切替弁１４は、第１流路２と第２流路２２との分岐部から第２吐水部３２の第２吐水口３２ａまでの経路上の所定位置に設けられ、所定位置よりも第２吐水口３２ａ側に流れる湯水の圧力損失を、所定位置に流入する湯水の圧力損失よりも増大させる圧力損失増大部として機能する。所定位置に流入する湯水の圧力損失とは、換言すれば、所定位置の直前を流れる湯水の圧力損失である。圧力損失増大部は、所定位置において直前の部分よりも第２吐水口３２ａ側に流れる湯水の圧力損失を増大させる。この例では、切替弁１４が、分岐部（第２流路２２の入り口）において、直前の部分よりも第２吐水口３２ａ側に流れる湯水の圧力損失を増大させる。
【００６６】
切替弁１４は、可動部７６の回転位置により、湯水が流れる内部流路７４ｄの断面積を変化させ、第１状態において、内部流路７４ｄの断面積を第２状態よりも小さくすることにより、第２状態よりも圧力損失を増大させる。切替弁１４は、内部流路７４ｄの断面積を変化させることにより、第１状態と第２状態とを切り替える。そして、切替弁１４は、同時吐水状態において第１状態になり、第２片側吐水状態において第２状態になる。切替弁１４は、例えば、電動ポンプ１２を動作させ、第１吐水部３１と第２吐水部３２とのそれぞれから湯水を吐水させる同時吐水状態の際に、第１吐水部３１から吐水される湯水の流量が、第２吐水部３２から吐水される湯水の流量の８０％以上１２０％以下となるように、所定位置よりも第２吐水口３２ａ側に流れる湯水の圧力損失を増大させる。
【００６７】
また、図４（ｃ）に表したように、切替弁１４は、同時吐水状態において、開口部７６ｂの一部及び開口部７６ｄの一部を第１出口部７４ｂと対向させ、第１吐水部３１側に向かう内部流路７４ｄの断面積を、第２吐水部３２側に向かう内部流路７４ｄの断面積よりも大きくしている。これにより、同時吐水状態において、電動ポンプ１２から第２吐水部３２に供給される湯水の圧力損失を増大させた場合にも、電動ポンプ１２から第１吐水部３１に供給される湯水の圧力損失の増大を抑制することができる。同時吐水状態において、第１出口部７４ｂにおける湯水の圧力損失は、第２出口部７４ｃにおける湯水の圧力損失よりも小さい。同時吐水状態において電動ポンプ１２から第１吐水部３１に供給される湯水の圧力損失は、第１片側吐水状態において電動ポンプ１２から第１吐水部３１に供給される湯水の圧力損失と実質的に同じである。
【００６８】
図５は、実施形態に係る浴槽装置の制御部の動作の一例を模式的に表すフローチャートである。  
入浴者は、第１吐水部３１及び第２吐水部３２のいずれかから湯水を吐水させたい場合、操作部４２を操作し、各吐水状態のいずれかを選択して運転の開始を制御部４０に指示する（図５のステップＳ０１）。
【００６９】
浴槽装置１０の制御部４０は、操作部４２から運転の開始を指示されると、切替弁１４の駆動部７２を駆動させ、選択された吐水状態に対応する所定位置に可動部７６を移動させる（図５のステップＳ０２）。
【００７０】
制御部４０は、切替弁１４を駆動させた後、操作部４２で選択された運転モードなどに対応する所定条件で電動ポンプ１２を駆動する（図５のステップＳ０３）。制御部４０は、例えば、弱運転、中運転、強運転のそれぞれに対応する回転数で、電動ポンプ１２を駆動する。
【００７１】
入浴者は、必要に応じて操作部４２を操作することにより、第１片側吐水状態、第２片側吐水状態、及び同時吐水状態の各吐水状態の切り替えを行う。例えば、第１吐水部３１のみから肩などに向けて湯水を吐水させた状態から、第１吐水部３１及び第２吐水部３２のそれぞれから湯水を吐水する状態に切り替える。
【００７２】
制御部４０は、操作部４２から各吐水状態の切り替えを指示されると、電動ポンプ１２の動作を停止させる。もしくは、電動ポンプ１２の出力を低下させることにより、電動ポンプ１２から下流に供給する湯水の流量を低下させる（図５のステップＳ０４、Ｓ０５）。
【００７３】
制御部４０は、電動ポンプ１２の動作を停止又は流量を低下させた後、切替弁１４の駆動部７２を駆動させ、切り替えが指示された吐水状態に対応する所定位置に可動部７６を移動させる（図５のステップＳ０６）。このように、制御部４０は、各吐水状態のいずれかの吐水状態で電動ポンプ１２を動作させている状態からいずれか別の吐水状態に切り替える際に、切替弁１４を動作させる前に、電動ポンプ１２を停止又は電動ポンプ１２から下流に供給する湯水の流量を低下させる。例えば、第２片側吐水状態と同時吐水状態との切り替えのみが可能である場合、制御部４０は、第２片側吐水状態及び同時吐水状態のいずれか一方の吐水状態で電動ポンプ１２を動作させている状態からいずれか他方の吐水状態に切り替える際に、切替弁１４を動作させる前に、電動ポンプ１２を停止又は電動ポンプ１２から下流に供給する湯水の流量を低下させる。
【００７４】
制御部４０は、切替弁１４を駆動させた後、操作部４２で選択された運転モードなどに対応する所定条件で電動ポンプ１２の駆動を再開する（図５のステップＳ０７）。制御部４０は、操作部４２から運転の停止を指示されると、電動ポンプ１２の動作を停止させ、吐水を停止させる。制御部４０は、以下、同様の処理を繰り返す。
【００７５】
以上、説明したように、本実施形態に係る浴槽装置１０によれば、第１流路２１と第２流路２２との分岐部から第２吐水口３２ａまでの経路上の所定位置に圧力損失増大部として機能する切替弁１４を設けたことにより、第１吐水口３１ａ側に流れる湯水の圧力損失と第２吐水口３２ａ側に流れる湯水の圧力損失との差を小さくすることができる。すなわち、圧力損失が高くなるジェットポンプユニット１６に合わせて分岐部から第２吐水口３２ａまでの経路上の所定位置の圧力損失を増大させることにより、第１吐水口３１ａ側に流れる湯水の圧力損失と第２吐水口３２ａ側に流れる湯水の圧力損失との差を小さくすることができる。従って、１つの電動ポンプ１２と１つのジェットポンプユニット１６とを用いて第１吐水部３１及び第２吐水部３２のそれぞれから同時に湯水を吐水する場合にも、第１吐水部３１及び第２吐水部３２のそれぞれにおいて適切な吐水流量を得ることができる。また、第２吐水部３２のみから湯水を吐水する場合の圧力損失を低くすることができる。従って、第２吐水部３２のみから湯水を吐水する場合に、電動ポンプ１２の駆動力を抑えることができ、消費電力を抑えることができる。
【００７６】
また、浴槽装置１０では、切替弁１４が、湯水が流れる内部流路７４ｄの断面積を第１状態において第２状態よりも小さくすることにより、所定位置よりも第２吐水口３２ａ側に流れる湯水の圧力損失を増大させる。これにより、断面積を小さくするという簡単な構成で圧力損失を増大させることができる。
【００７７】
また、切替弁１４を設けることにより、肩のみの吐水、腰のみの吐水、肩と腰の同時吐水など、種々の吐水パターンを入浴者の好みに応じて選択することができ、浴槽装置１０の使い勝手を向上させることができる。また、切替弁１４の制御のみで経路の切り替えと圧力損失の増大とを行うことができる。従って、より簡単な構成で、圧力損失の増大と経路の切り替えとを行うことができる。浴槽装置１０の部品点数を削減し、浴槽装置１０の製造コストの増加を抑えることができる。
【００７８】
また、浴槽装置１０では、制御部４０が、各吐水状態のいずれかの吐水状態で電動ポンプ１２を動作させている状態からいずれか別の吐水状態に切り替える際に、切替弁１４を動作させる前に、電動ポンプ１２を停止又は電動ポンプ１２から下流に供給する湯水の流量を低下させる。これにより、各吐水状態の切り替え時に切替弁１４の可動部７６に大きな負荷がかかってしまうことを抑制することができる。従って、切替弁１４の故障などを抑制し、長期に亘って安定して切替弁１４を動作させることができる。
【００７９】
また、浴槽装置１０では、切替弁１４が、電動ポンプ１２を動作させ、第１吐水部３１と第２吐水部３２とのそれぞれから湯水を吐水させる同時吐水状態の際に、第１吐水部３１から吐水される湯水の流量が、第２吐水部３２から吐水される湯水の流量の８０％以上１２０％以下となるように、所定位置よりも第２吐水口３２ａ側に流れる湯水の圧力損失を増大させる。これにより、１つの電動ポンプ１２と１つのジェットポンプユニット１６とを用いて第１吐水部３１及び第２吐水部３２のそれぞれから同時に湯水を吐水する場合に、第１吐水部３１及び第２吐水部３２のそれぞれにおいて適切な吐水流量とすることができる。従って、例えば、入浴者の肩と腰に同時に湯水を吐水させる場合などに、一方が強すぎるなどの違和感を入浴者に与えてしまうことを抑制することができ、リラクゼーション効果をより向上させることができる。
【００８０】
図６は、実施形態に係る浴槽装置の変形例を模式的に表すブロック図である。  
なお、上記実施形態と機能・構成上実質的に同じものについては、同符号を付し、詳細な説明は省略する。  
図６に表したように、浴槽装置１０ａは、圧力損失増大部１８をさらに備える。圧力損失増大部１８は、第１流路２１と第２流路２２との分岐部から第２吐水部３２の第２吐水口３２ａまでの経路上の所定位置に設けられる。圧力損失増大部１８は、例えば、第１流路２１と第２流路２２との分岐部と第２吐水部３２との間に設けられる。浴槽装置１０ａが切替弁１４を備える場合、圧力損失増大部１８は、切替弁１４と第２吐水部３２との間に設けられる。
【００８１】
圧力損失増大部１８は、所定位置（第１流路２１と第２流路２２との分岐部）よりも第２吐水口３２ａ側に流れる湯水の圧力損失を増大させる第１状態と、所定位置よりも第２吐水口３２ａ側に流れる湯水の圧力損失の増大量を第１状態よりも小さくした第２状態と、を切替可能である。第２状態は、例えば、所定位置よりも第２吐水口３２ａ側に流れる湯水の圧力損失を、所定位置に流入する湯水の圧力損失と実質的に同じにした状態である。換言すれば、第２状態は、圧力損失を実質的に変化させない状態である。但し、第２状態は、圧力損失の増大量を第１状態よりも小さくした任意の状態でよい。圧力損失増大部１８は、例えば、湯水が流れる流路の断面積を変化させ、第１状態において、流路の断面積を第２状態よりも小さくすることにより、第２状態よりも圧力損失を増大させる。圧力損失増大部１８には、例えば、バタフライバルブなど、流路に流れる湯水の流量を調整可能なバルブなどが用いられる。
【００８２】
圧力損失増大部１８は、制御部４０と接続されている。制御部４０は、圧力損失増大部１８の第１状態と第２状態との切り替えを制御する。制御部４０は、切替弁１４を同時吐水状態にした時に、圧力損失増大部１８を第１状態にし、切替弁１４を第２片側吐水状態にした時に、圧力損失増大部１８を第２状態にする。
【００８３】
このように、圧力損失増大部１８は、切替弁１４と別に設けてもよい。この場合にも、上記実施形態と同様の効果を得ることができる。すなわち、１つの電動ポンプ１２と１つのジェットポンプユニット１６とを用いて第１吐水部３１及び第２吐水部３２のそれぞれから同時に湯水を吐水する場合にも、第１吐水部３１及び第２吐水部３２のそれぞれにおいて適切な吐水流量を得ることができる。切替弁１４を設けることにより、種々の吐水パターンを入浴者の好みに応じて選択することができ、浴槽装置１０ａの使い勝手を向上させることができる。また、第２吐水部３２のみから湯水を吐水する場合の圧力損失を低くすることができる。従って、第２吐水部３２のみから湯水を吐水する場合に、電動ポンプ１２の駆動力を抑えることができ、消費電力を抑えることができる。
【００８４】
図７は、実施形態に係る浴槽装置の変形例を模式的に表すブロック図である。  
図７に表したように、浴槽装置１０ｂでは、切替弁１４が、分岐配管８０に置き換えられている。従って、浴槽装置１０ｂでは、電動ポンプ１２の駆動により、必ず第１吐水部３１及び第２吐水部３２のそれぞれから湯水が吐水される。
【００８５】
浴槽装置１０ｂでは、配管５４の屈曲部が、圧力損失増大部１８として機能する。このように、圧力損失増大部１８は、必ずしも第１状態及び第２状態を切替可能な部材に限ることなく、所定位置よりも第２吐水口３２ａ側に流れる湯水の圧力損失を、所定位置に流入する湯水の圧力損失よりも増大させることが可能な任意の部材でよい。また、浴槽装置１０ｂでは、２つの圧力損失増大部１８が設けられている。このように、圧力損失増大部１８は、第１流路２１と第２流路２２との分岐部から第２吐水部３２の第２吐水口３２ａまでの経路上に、複数設けてもよい。
【００８６】
浴槽装置１０ｂでは、圧力損失増大部１８が、電動ポンプ１２を動作させ、第１吐水部３１と第２吐水部３２とのそれぞれから湯水を吐水させる際に、第１吐水部３１から吐水される湯水の流量が、第２吐水部３２から吐水される湯水の流量の８０％以上１２０％以下となるように、所定位置よりも第２吐水口３２ａ側に流れる湯水の圧力損失を増大させる。
【００８７】
このように、第１吐水部３１と第２吐水部３２とのそれぞれから湯水を吐水させる際に、第１吐水部３１から吐水される湯水の流量を、第２吐水部３２から吐水される湯水の流量の８０％以上１２０％以下とすることにより、１つの電動ポンプ１２と１つのジェットポンプユニット１６とを用いて第１吐水部３１及び第２吐水部３２のそれぞれから同時に湯水を吐水する場合に、第１吐水部３１及び第２吐水部３２のそれぞれにおいて適切な吐水流量とすることができる。従って、入浴者の肩と腰に同時に湯水を吐水させる場合に、一方が強すぎるなどの違和感を入浴者に与えてしまうことを抑制することができ、リラクゼーション効果をより向上させることができる。
【００８８】
図８は、実施形態に係る浴槽装置の変形例を模式的に表すブロック図である。  
図８に表したように、浴槽装置１０ｃでは、配管５４が、一部の断面積を他の断面積よりも小さくした絞り部を有しており、この絞り部が、圧力損失増大部１８として機能している。このように、圧力損失増大部１８は、第１流路２１と第２流路２２との分岐部から第２吐水部３２の第２吐水口３２ａまでの経路上の流路の屈曲部や絞り部などで構成してもよい。
【００８９】
例えば、所定位置よりも下流側の流路全体の断面積を他の断面積よりも小さくすることにより、所定位置よりも下流側の流路全体を圧力損失増大部１８としてもよい。すなわち、圧力損失増大部１８は、湯水が流れる流路の少なくとも一部の断面積を他の断面積よりも小さくすることにより、所定位置よりも第２吐水口３２ａ側に流れる湯水の圧力損失を増大させることが可能な任意の部材でよい。ここで、「他の断面積」とは、例えば、所定位置よりも上流側の流路の断面積である。より具体的には、所定位置の直前の流路の断面積（断面積が小さくなる直前の断面積）である。
【００９０】
圧力損失増大部１８は、図１などにおいて切替弁１４として表したように、第１流路２１と第２流路２２との分岐部に設けてもよい。また、圧力損失増大部１８は、例えば、第２吐水部３２内に設けてもよい。より詳しくは、圧力損失増大部１８は、第２吐水部３２の湯水の流入口と第２吐水口３２ａとの間に設けてもよい。例えば、第２吐水口３２ａの開口面積を小さくすることなどにより、第２吐水口３２ａを圧力損失増大部１８として機能させてもよい。
【００９１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴槽装置１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９２】
１０、１０ａ、１０ｂ、１０ｃ 浴槽装置、  １２ 電動ポンプ、  １４ 切替弁、  １６ ジェットポンプユニット、  １８ 圧力損失増大部、  ２０ 共通流路、  ２１ 第１流路、  ２２ 第２流路、  ３１ 第１吐水部、  ３２ 第２吐水部、  ３４ 光源部、  ４０ 制御部、  ４２ 操作部、  ５０、５４、５６、５８ 配管、  ６０ 貯水部、  ６２ 吸引管、  ６４ 噴射部、  ７０ 弁本体、  ７２ 駆動部、  ７４ ケーシング、  ７６ 可動部、  ８０ 分岐配管、  １００ 浴槽、  １０２ 浴槽本体、  １０４ 内壁面、  １０６ 背もたれ面、  １１０ 吸込み口
【図１】
2018166673.tif 000003
【図２】
2018166673.tif 000004
【図３】
2018166673.tif 000005
【図４】
2018166673.tif 000006
【図５】
2018166673.tif 000007
【図６】
2018166673.tif 000008
【図７】
2018166673.tif 000009
【図８】
2018166673.tif 000010